(57)【特許請求の範囲】
【請求項１】
箱状の筐体と、
前記筐体の前面に配置され、携帯機器が接続可能なコンセントと、
開閉可能に前記筐体の表面に連結され、閉状態において前記コンセントを塞ぎ、開状態において前記コンセントを露出させるカバーと、を備え、
前記カバーは、第１の平板部と前記第１の平板部と角度をなす第２の平板部とからなり側面視Ｌ字状の形状を有する板状部と、前記第１の平板部に連結されるとともに、前記筐体に対して回転可能に連結された回転軸と、を有し、
前記板状部を前記回転軸を中心に回転させることにより、前記カバーが開閉可能であり、
前記閉状態では、前記第２の平板部が前記コンセントを覆い、
前記開状態では、前記第２の平板部が、前記回転軸より後方の位置において前記筐体の天面上で上方に向かって立ち上がる状態に維持され、当該立ち上がった第２の平板部に前記携帯機器が立て掛けられた状態で載置される構成である
コンセントボックス。
【請求項２】
前記回転軸が、円柱状であり、第１の平板部の板厚よりも大きい軸径を有し、前記カバーが開状態にあるときに、前記筐体の天面において突出する、
請求項１に記載のコンセントボックス。
【請求項３】
前記筐体が、前記回転軸の後方となる前記筐体の天面に凹部を有し、
前記開状態において、前記第１の平板部が、前記凹部と面接触する、
請求項２に記載のコンセントボックス。
【請求項４】
前記コンセントが、一対の差込口からなるＡＣ用コンセントであり、
前記一対の差込口が上下方向に並び、
前記一対の差込口のうち、下方側の差込口が、接地側である、
請求項１から請求項３のいずれかに記載のコンセントボックス。
【請求項５】
前記開状態において、前記第２の平板部の前面側に、載置可能な前記携帯機器が表示される、
請求項１から請求項４のいずれかに記載のコンセントボックス。
【請求項６】
前記閉状態において、前記板状部の表面が平坦である、
請求項１から請求項５のいずれかに記載のコンセントボックス。
【請求項７】
前記コンセントを含む部分が、前記筐体の表面から突出する、
請求項１から請求項６のいずれかに記載のコンセントボックス。
【請求項８】
前記カバーが、前記携帯機器を非接触充電する送電部を有する、
請求項１から請求項７のいずれかに記載のコンセントボックス。
【請求項９】
さらに、前記コンセントの差込口を塞ぐ扉を備える、
請求項１から請求項８のいずれかに記載のコンセントボックス。
【請求項１０】
前記閉状態では、前記コンセントへの導通が切断され、前記開状態では、前記コンセントが導通される、
請求項１から請求項９のいずれかに記載のコンセントボックス。
【請求項１１】
さらに、前記コンセントに接続された漏電遮断回路を備える、
請求項１から請求項１０のいずれかに記載のコンセントボックス。
【請求項１２】
前記コンセントが複数存在し、
前記コンセントが少なくとも、ＡＣ用コンセント及びＵＳＢ用コンセントを含む、
請求項１から請求項１１のいずれかに記載のコンセントボックス。
【請求項１３】
前記筐体の幅が、１３ｃｍ以下である、
請求項１から請求項１２のいずれかに記載のコンセントボックス。
【発明の詳細な説明】
【技術分野】
【０００１】
本発明は、デスクやテーブルなどの什器の上面に取り付けられるコンセントボックスに関する。
【背景技術】
【０００２】
電源用コンセントとしては、壁面や床面など建物の構造面に設置されるものの他に、机やテーブルなどの什器に取り付けられるものが存在する。什器に取り付けられるコンセントとしては、什器の内部に埋め込まれる埋込型と、什器の上面に取り付けられる露出型との２種類があり、埋込型は什器から突出しないことで、什器上面のスペースを有効活用できるため、より一般的に用いられる。
【０００３】
しかし埋込型のコンセントは、什器の一部として設置されるため、あらかじめ什器の内部に設置する空間を確保する必要がある、設置の手間がかかる、設置箇所が限定される、設置後に設置箇所を変更できない、などの短所を有する。一方、露出型のコンセントは、箱状の筐体を備えたコンセントボックスとして什器から独立することが可能である。したがって、露出型のコンセントは、什器の内部に空間を確保する必要がなく後付可能であり、什器への取付が簡単であり、取付箇所の限定が少なく、取付後にも取付箇所を変更することができる。
【０００４】
露出型のコンセントとしては、例えば特許文献１のようなコンセントボックスが開示されている。当該コンセントボックスは、箱状の筐体（コンセントボックスＡ）と、取付装置Ｂとを備え、筐体の下部に固定された取付装置Ｂが什器の天板を挟持することによって、什器の上面に取り付けられる。また、特許文献１のコンセントボックスでは、近年様々な接続端子、接続方法が採用されているスマートフォンやタブレットＰＣなどの携帯機器にも対応している。具体的には、当該コンセントボックスは、電源用コンセントだけではなく、ＬＡＮ（Ｌｏｃａｌ  Ａｒｅａ  Ｎｅｔｗｏｒｋ）やＵＳＢ（Ｕｎｉｖｅｒｓａｌ  Ｓｅｒｉａｌ  Ｂｕｓ）、１５ピンコネクタなどの規格に対応したコンセントを備えている。
【先行技術文献】
【特許文献】
【０００５】
【特許文献１】特開２０１０−１６０９０２号公報
【発明の概要】
【発明が解決しようとする課題】
【０００６】
特許文献１のようなコンセントボックスは、主にオフィス用の什器に取り付けられることが想定されており、飲食店や宿泊施設など、その他の施設用の什器での使用には不向きである。例えば、当該コンセントボックスは、コンセントを塞ぐカバーを備えているが、当該カバーはすべてのコンセントを塞ぐことはできず、多くのコンセントは露出している。よって、当該コンセントボックスを飲食物や水分などの異物が飛散する恐れのある什器に取り付けた場合、異物がコンセント内に付着し、コンセントとしての機能を損なう可能性がある。また、例えば、当該コンセントボックスは、露出する筐体により、取り付けられた什器の上面のスペースをかなり占有してしまう。よって、当該コンセントボックスは、例えば、飲食物や雑貨などが多数配置される飲食店や宿泊施設用の什器や、上面サイズが限定される小型の什器などに対して、取り付けが敬遠される。
【０００７】
そこで、本発明の目的は、幅広い什器にも対応可能なコンセントボックスを提供することにある。
【課題を解決するための手段】
【０００８】
本発明の一態様に係るコンセントボックスは、什器の上面に取り付けられる箱状の筐体と、前記筐体の表面に配置され、携帯機器が接続可能なコンセントと、開閉可能に前記筐体の表面に連結され、閉状態において前記コンセントを塞ぎ、開状態において前記コンセントを露出させるカバーと、を備え、前記カバーが、前記開状態において前記カバーに載置された前記携帯機器を立て掛けた状態で固定する固定部材を有する。
【発明の効果】
【０００９】
上記態様に係るコンセントボックスは、閉状態においてコンセントを塞ぐカバーを備えるため、閉状態において異物がコンセント内に侵入、付着することを抑制できる。また、上記態様に係るコンセントボックスは、カバーが、開状態においてカバーに載置された携帯機器を立て掛けた状態で固定する固定部材を有するため、開状態において携帯機器の良好な載置台となり、什器の上面におけるスペースを有効活用できる。したがって、上記態様に係るコンセントボックスは、例えば、飲食店用や宿泊施設用の什器や、上面サイズが限定される小型の什器など、幅広い什器に対応可能である。
【図面の簡単な説明】
【００１０】
【図１】はコンセントボックス１の什器Ｆへの取付状態を示す斜視図であって、（ａ）は閉状態を示す斜視図、（ｂ）は開状態を示す斜視図である。
【図２】筐体１１の分解斜視図である。
【図３】コンセントボックス１に携帯機器Ｍを載置した状態を示す斜視図である。
【図４】コンセントボックス１に携帯機器Ｍを載置した状態を示す右側面図である。
【発明を実施するための形態】
【００１１】
＜実施の形態＞
以下では、本発明の一態様に係るコンセントボックス１について、図面を参照しながら説明する。なお、図面は模式的なものを含んでおり、各部材の縮尺や縦横の比率などが実際とは異なる場合がある。
１．コンセントボックス１の外観構成
まず、図１を用いて、コンセントボックス１の外観構成を説明する。図１は、コンセントボックス１の什器Ｆへの取付状態を示す斜視図であって、（ａ）は閉状態を示す斜視図、（ｂ）は開状態を示す斜視図である。コンセントボックス１は露出型のコンセントであって、例えば、飲食店や宿泊施設に設置されるテーブルなどの什器Ｆの上面Ｆ１に取り付けられる。なお、以下では、コンセントボックス１の前方を図１の逆Ｙ方向とし、図１のＹ、Ｘ、逆Ｘ、Ｚ、逆Ｚで示す各方向を、それぞれ後、右、左、上、下と表現する。
【００１２】
図１（ａ）に示すように、コンセントボックス１は、什器Ｆの上面Ｆ１に取り付けられる箱状の筐体１１と、筐体１１の表面に連結されたカバー１２と、を備える。
筐体１１は、箱状の各面として、前方に前面１１１、上方に天面１１２を有する。また、筐体１１は、後方、下方、左方、右方に、それぞれ後面、底面、左側面、右側面を有し、略直方体形の箱状となっている。さらに、筐体１１の天面１１２には、回転軸保持部１１２ａ及び凹部１１２ｂが形成されている。回転軸保持部１１２ａは、天面１１２のＹ方向中央部付近の左右方向両端にそれぞれ配置された円柱状の部材である。凹部１１２ｂは、回転軸保持部１１２ａの後方に形成され、天面１１２の後方に向かうにつれて深さが小さくなる形状となっている。筐体１１の内部構成を含めた詳細は後述する。
【００１３】
カバー１２は、筐体１１の前面１１１及び天面１１２の一部を覆う部材であって、筐体１１の天面１１２に連結されている。カバー１２は、例えば、樹脂材料などの電気絶縁性材料で形成することにより、漏電の可能性を低減することができる。ただし、カバー１２は、金属材料などで形成してもよく、この場合はメッキ加工により漏電を抑制してもよい。カバー１２は、筐体１１の前面１１１及び天面１１２を覆う板状部１２１と、板状部１２１に連結されるとともに、筐体１１の回転軸保持部１１２ａに連結された回転軸１２２と、を有する。
【００１４】
板状部１２１は、前面１１１、天面１１２とそれぞれ平行な２つの平板部１２１ａ、平板部１２１ｂが側面視Ｌ字状に連結された形状の板状部材であり、平板部１２１ａと平板部１２１ｂとの間は湾曲して連結されている。平板部１２１ａ及び平板部１２１ｂは、略長方形状の平面を有する板状部材であり、平板部１２１ａ及び平板部１２１ｂの板厚（平面に直交する方向の厚み）はほぼ同一である。
【００１５】
回転軸１２２は、板状部１２１のＬ字の一端（平板部１２１ｂの後方端）に沿って板状部１２１に連結された円柱状の部材であり、平板部１２１ｂの板厚よりも大きい軸径を有する。また、回転軸１２２は、回転軸保持部１１２ａの間となる筐体１１の天面１１２において、筐体１１の前面１１１と平行に（Ｘ方向に）配置され、回転軸保持部１１２ａに保持される。この際、回転軸１２２は、回転軸保持部１１２ａにより、筐体１１に対して回転可能に連結されている。なお、以上のとおり、平板部１２１ｂは、本実施の形態におけるＬ字の一端側の平板部に相当し、平板部１２１ａは、本実施の形態におけるＬ字の他端側の平板部に相当する。
【００１６】
ここで、図１（ｂ）に示すように、コンセントボックス１では、回転軸１２２が筐体１１に対して回転することにより、回転軸１２２を中心に板状部１２１を筐体１１の天面１１２側へ回転させることができる。この回転は、平板部１２１ｂが回転軸１２２の後方で筐体１１の天面１１２と接することにより止まり、このとき、平板部１２１ａは、回転軸１２２の後方となる筐体１１の天面１１２から上方に向かって立ち上がる状態で固定される。
【００１７】
上記回転により、コンセントボックス１では、平板部１２１ａが覆っていた筐体１１の前面１１１が露出するとともに、前面１１１に配置されたコンセントブロック１３も露出する。以下、図１（ａ）のように、カバー１２が前面１１１を覆う状態を閉状態、図１（ｂ）のように、カバー１２（平板部１２１ａ）が天面１１２の上方で立ち上がり、前面１１１が露出する状態を開状態とする。なお、閉状態においては、板状部１２１（平板部１２１ａ）が、前面１１１よりも前方に多少突出しており、板状部１２１の下部を持ち上げるか押し上げることにより、開状態へ移行させることができる。
【００１８】
コンセントブロック１３は、ＡＣ（Ａｌｔｅｒｎａｔｉｎｇ  Ｃｕｒｒｅｎｔ：交流）用コンセントブロック１３１と、ＵＳＢ用コンセントブロック１３２と、の２種類からなる。ＡＣ用コンセントブロック１３１は、一対の差込口１３１ａ、１３１ｂからなるＡＣ用コンセント１３１Ａを有し、ＵＳＢ用コンセントブロック１３２は、２つのＵＳＢ用コンセント１３２Ａを有する。すなわち、コンセントボックス１は、筐体１１の表面（前面１１１）に配置され、携帯機器などの電気機器が接続可能なＡＣ用コンセント１３１Ａ及びＵＳＢ用コンセント１３２Ａを備える。なお、ＡＣ用コンセント１３１Ａ及びＵＳＢ用コンセント１３２Ａは、それぞれ本実施の形態におけるコンセントに相当し、以下、まとめてコンセント１３１Ａ、１３２Ａと記載する場合がある。また、本願において、「コンセント」とは、電気機器や電子機器の電気的な接続に用いられる差込接続器のうち、プラグの受け側を指し、差込口と、差込口内でプラグと電気的に接続される端子とを含む部分のことを指す。ＡＣ用コンセントブロック１３１及びＵＳＢ用コンセントブロック１３２の詳細については、後述する。
【００１９】
以上のように、コンセントボックス１では、カバー１２が、閉状態においてコンセント１３１Ａ、１３２Ａを塞ぎ、開状態においてコンセント１３１Ａ、１３２Ａを露出させる。具体的には、板状部１２１が回転軸１２２を中心に回転することにより、カバー１２が回転可能であり、閉状態では、平板部１２１ａがコンセント１３１Ａ、１３２Ａを含む筐体１１の前面１１１を覆う。これにより、板状部１２１がコンセント１３１Ａ、１３２Ａを塞ぐ。
【００２０】
２．筐体１１の内部構成
次に、図２を用いて、筐体１１の内部構成を説明する。図２は筐体１１の分解斜視図である。筐体１１は、本体部１１ａ、後面部１１ｂ及び底面部１１ｃからなり、本体部１１ａ、後面部１１ｂ及び底面部１１ｃが組み合わされることによって箱状に構成される。また、筐体１１の内部には、ＡＣ用コンセントブロック１３１及びＵＳＢ用コンセントブロック１３２（以下、特に区別しない場合はコンセントブロック１３と記載する。）と、取付枠１４と、配線１５と、が配置される。
【００２１】
（１）本体部１１ａ、後面部１１ｂ、底面部１１ｃ
本体部１１ａは、筐体１１の前面１１１、天面１１２及び左右側面を構成する部材であり、板状の前面、天面及び左右側面からなる。本体部１１ａの前面中央には開口部１１ａ１が形成され、筐体１１の内部に配置されたコンセントブロック１３を、図１（ｂ）に示すように、開口部１１ａ１から露出させることができる。
【００２２】
後面部１１ｂ、底面部１１ｃは、それぞれ筐体１１の後面、底面を構成する板状の部材である。底面部１１ｃ中央には開口部１１ｃ１が形成され、後述するように、当該開口部１１ｃ１を介し、商用交流電源とコンセントブロック１３とを配線接続することができる。
本体部１１ａ及び後面部１１ｂは下方側にフランジ状の部分を有し、それぞれ当該フランジ状の部分にねじ孔１１ａ２、１１ｂ２が形成されている。さらに、底面部１１ｃにはねじ孔１１ｃ２が形成されている。これらねじ孔１１ａ２、１１ｂ２、１１ｃ２は、本体部１１ａ、後面部１１ｂ及び底面部１１ｃを箱状に組み合わせた際に、互いに重なる位置に配置されており、ねじ１１ｄによってねじ止めされることで、筐体１１が箱状に構成される。また、底面部１１ｃには、ねじ孔１１ｃ２とは別に、木ねじ１６を上方から挿入可能な挿入孔を有し、当該挿入孔に挿入された木ねじ１６が、什器Ｆの上面Ｆ１にねじ止めされることで、筐体１１が什器Ｆの上面Ｆ１に固定される（図４参照）。
【００２３】
本体部１１ａ、後面部１１ｂ、底面部１１ｃは、例えば樹脂材料や金属材料によって成形される。この際、例えば本体部１１ａ及び後面部１１ｂを安価かつ成形容易な樹脂材料で成形し、底面部１１ｃを放熱性や強度に優れた金属材料で成形するなど、各部を異なる部材で成形してもよい。
（２）コンセントブロック１３
コンセントブロック１３は、例えば樹脂材料などの絶縁体で箱状に成形されたブロック状の部材であり、図１（ｂ）に示すように、長方形状の前面側にコンセント１３１Ａ、１３２Ａが形成されている。コンセント１３１Ａ、１３２Ａは、差込口及び差込口内に配置された端子から構成される。コンセント１３１Ａ、１３２Ａの端子は、例えば金属材料などの導電体からなり、差込口に差し込まれたプラグと接触することで、プラグと電気的に接続される。
【００２４】
ＡＣ用コンセントブロック１３１は、いわゆる配線用差込接続器であり、ＡＣ用コンセント１３１Ａに接続された電気機器と商用交流電源とを電気的に接続することで、電気機器に電力を供給する機能を有する。ＡＣ用コンセント１３１Ａは、ＡＣアダプタのプラグ形状に対応した一対の差込口１３１ａ、１３１ｂからなる。また、一対の差込口１３１ａ、１３１ｂは上下方向に並び、一対の差込口１３１ａ、１３１ｂのうち、下方側の差込口１３１ｂが、接地側（いわゆるＷ端子）となっている。ＡＣ用コンセントブロック１３１の内部では、ＡＣ用コンセント１３１Ａの一対の差込口１３１ａ、１３１ｂ内の端子が、後述するように、それぞれ商用交流電源の活線、接地線と電気的に接続されるとともに、配線１５とも電気的に接続されている。
【００２５】
ＵＳＢ用コンセントブロック１３２は、スマートフォンなどの携帯機器が採用するＵＳＢ充電に対応するものであり、ＵＳＢ規格に対応するプラグ形状（いわゆるＡタイプなど）に対応した差込口として、ＵＳＢ用コンセント１３２Ａを左右方向に２つ有する。ＵＳＢ用コンセントブロック１３２には、整流平滑回路や、充電制御回路などの電気回路が構成された回路基板（不図示）が内蔵され、ＵＳＢ用コンセント１３２Ａ内の端子は、当該電気回路を介して、後述するように、配線１５と電気的に接続されている。
【００２６】
ここで、図１（ｂ）や図２に示すように、ＡＣ用コンセントブロック１３１のＡＣ用コンセント１３１Ａが配置された面（前面）の長辺の長さと、ＵＳＢ用コンセントブロック１３２のＵＳＢ用コンセント１３２Ａが配置された面（前面）の短辺の長さはほぼ等しい。よって、筐体１１内で、ＡＣ用コンセントブロック１３１の上記長辺と、ＵＳＢ用コンセントブロック１３２の上記短辺とが、上下方向と平行になるように配置すれば、開口部１１ａ１から露出するコンセントブロック１３の上下方向の長さを揃えることができる。これにより、コンセントボックス１の開状態における外観を整えることができる。
【００２７】
なお、ＡＣ用コンセントブロック１３１及びＵＳＢ用コンセントブロック１３２は、壁面や床面などの造営材に設置される一般のコンセントブロックを流用してもよい。
（３）取付枠１４
取付枠１４は、コンセントブロック１３を整列させた状態で固定するための枠状の部材であり、例えば樹脂材料や金属材料などで形成される。取付枠１４は中央の開口にコンセントブロック１３の前面側をはめ込むことで、コンセント１３１Ａ、１３２Ａを露出させた状態でコンセントブロック１３を固定することができる。コンセントブロック１３と同様に、取付枠１４は、壁面や床面などの造営材に設置される一般の取付枠を流用してもよい。
【００２８】
（４）配線１５
配線１５は、例えばＶＶＦ（ビニル絶縁ビニルシース平型）ケーブルなどの電線であって、ＡＣ用コンセント１３１ＡとＵＳＢ用コンセント１３２Ａとを電気的に接続する内部配線である。具体的には、配線１５は、その一端がＡＣ用コンセント１３１Ａの差込口１３１ｂ（接地側）内の端子と、その他端がＵＳＢ用コンセント１３２Ａ内の接地側の端子と、それぞれ電気的に接続されている。また図示は省略するが、配線１５はもう一本存在し、その一端がＡＣ用コンセント１３１Ａの差込口１３１ａ（活線側）内の端子と、その他端がＵＳＢ用コンセント１３２Ａ内の活線側の端子と、それぞれ電気的に接続されている。
【００２９】
さらに、図示は省略するが、コンセントボックス１では、商用交流電源に接続された外部ケーブルを用いて、商用交流電源とＡＣ用コンセントブロック１３１とが電気的に接続されている。具体的には、例えば、什器Ｆの上面Ｆ１に形成された開口及び開口部１１ｃ１を介して、外部ケーブルがＡＣ用コンセントブロック１３１に接続され、商用交流電源の活線、接地線がそれぞれ、一対の差込口１３１ａ、１３１ｂ内の端子と接続されている。これにより、ＡＣ用コンセント１３１Ａに差し込まれたプラグに対しては、例えば１００Ｖ〜２４０Ｖの交流電力が供給される。
【００３０】
また、上記のように、外部ケーブル、ＡＣ用コンセント１３１Ａ及び配線１５を介してＵＳＢ用コンセント１３２Ａも商用交流電源と電気的に接続されている。この際、ＵＳＢ用コンセントブロック１３２では、商用交流電源からの交流電力が、前述の電気回路を介することで、例えば５Ｖ／１Ａなどの直流電力に変換され、当該直流電力が、ＵＳＢ用コンセント１３２Ａに差し込まれたプラグに対して供給される。
【００３１】
なお、上記に説明した構成はあくまで例示であって、適宜変更は可能である。例えば、コンセントボックス１では、筐体１１を、本体部１１ａ、後面部１１ｂ、底面部１１ｃの３部材で構成したが、これらの一部又は全部を一体に成型してもよい。また、例えば本体部１１ａを前面部、天面部、側面部に分けるなど、４つ以上の部材で筐体１１を構成してもよい。また、コンセントブロック１３や取付枠１４などが、本体部１１ａ、後面部１１ｂ、底面部１１ｃなどと一体に形成されていてもよい。
【００３２】
３．コンセントボックス１の有する特徴
コンセントボックス１は、前述のとおり、閉状態においてコンセント１３１Ａ、１３２Ａを塞ぐカバー１２（板状部１２１、平板部１２１ａ）を備える。これにより、閉状態において異物がコンセント１３１Ａ、１３２Ａの差込口内に侵入し、端子などに付着することを抑制できる。
【００３３】
次に、図３及び図４を用いて、コンセントボックス１の開状態における特徴を説明する。図３は、コンセントボックス１に携帯機器Ｍを載置した状態を示す斜視図である。図４は、コンセントボックス１に携帯機器Ｍを載置した状態を示す右側面図である。
図３に示すように、携帯機器Ｍは、例えば、携帯電話やスマートフォンなどの平板状の小型機器であって、充電用ケーブルＭＣを用いることによって、コンセントボックス１のコンセントと電気的に接続される。具体的には、充電用ケーブルＭＣの一端が携帯機器Ｍのコネクタ部（不図示）に接続されるとともに、充電用ケーブルＭＣの他端に配置されたプラグＭＰがＵＳＢ用コンセント１３２Ａに接続される。この際、商用交流電源の交流電力が、コンセントボックス１の回路基板により、直流電力に変換されるとともに、当該直流電力が、ＵＳＢ用コンセント１３２Ａ及び充電用ケーブルＭＣを介して携帯機器Ｍに供給され、携帯機器Ｍを充電することができる。なお、図４においては、充電用ケーブルＭＣ及びプラグＭＰは図示を省略している。
【００３４】
コンセントボックス１では、カバー１２が、開状態においてカバー１２に載置された携帯機器Ｍを立て掛けた状態で固定する固定部材を有する。以下、具体的に説明する。
まず、図４に示すように、回転軸１２２は、平板部１２１ｂの板厚よりも大きい軸径を有することで、平板部１２１ｂよりも突出する。また、開状態では、平板部１２１ａが筐体１１の天面１１２から上方に向かって立ち上がる状態で固定される。
【００３５】
ここで、図３及び図４に示すように、開状態において、携帯機器Ｍの表面Ｍ１を前方側に向け、携帯機器Ｍを立て掛けた状態でカバー１２に載置した場合を考える。この場合、携帯機器Ｍの下端Ｍ３が平板部１２１ｂ上で回転軸１２２と接し、携帯機器Ｍの裏面Ｍ２が平板部１２１ａと接する状態で携帯機器Ｍが静止する。すなわち、携帯機器Ｍの左右方向を軸とした回転について、平板部１２１ａが図４における時計回り方向の回転を規制するとともに、回転軸１２２が携帯機器Ｍの下端Ｍ３の前方側への滑りを規制することにより、携帯機器Ｍの向き及び位置が固定される。よって、板状部１２１（平板部１２１ａ）及び回転軸１２２は、開状態においてカバー１２に載置された携帯機器Ｍを立て掛けた状態で固定する固定部材を構成する。
【００３６】
このように、コンセントボックス１は、開状態において、カバー１２に載置された携帯機器Ｍを立て掛けた状態で固定できるため、携帯機器Ｍを安定して載置することができ、開状態において携帯機器Ｍの良好な載置台となる。また、これにより、携帯機器Ｍを充電する場合、従来は必要であった、什器Ｆの上面Ｆ１における携帯機器Ｍの載置場所分のスペースを、コンセントボックス１上に確保でき、什器Ｆの上面Ｆ１におけるスペースを有効活用できる。
【００３７】
以上、整理すると、コンセントボックス１は、什器Ｆの上面Ｆ１に取り付けられる箱状の筐体１１と、筐体１１の表面（前面１１１）に配置され、携帯機器Ｍが接続可能なコンセント１３１Ａ、１３２Ａと、を備える。また、コンセントボックス１は、開閉可能に筐体１１の表面（天面１１２）に連結され、閉状態において、コンセント１３１Ａ、１３２Ａを塞ぎ、開状態においてコンセント１３１Ａ、１３２Ａを露出させるカバー１２を備える。そして、カバー１２が、開状態においてカバー１２に載置された携帯機器Ｍを立て掛けた状態で固定する固定部材（板状部１２１及び回転軸１２２）を有する。
【００３８】
より具体的には、コンセントボックス１では、カバー１２が、板状部１２１と、板状部１２１に連結されるとともに、筐体１１に対して回転可能に連結された回転軸１２２と、を有する。また、板状部１２１が回転軸１２２を中心に回転することにより、カバー１２が開閉可能である。さらに、閉状態では、板状部１２１がコンセント１３１Ａ、１３２Ａを塞ぎ、開状態では、板状部１２１が、固定部材の一部を構成する。
【００３９】
さらに具体的には、コンセントボックス１では、コンセント１３１Ａ、１３２Ａが、筐体１１の前面１１１に配置され、板状部１２１が、２つの平板部１２１ａ、１２１ｂが側面視Ｌ字状に連結した形状である。また、回転軸１２２が、Ｌ字の一端に沿って板状部１２１に連結された円柱状であり、当該一端側の平板部１２１ｂの板厚よりも大きい軸径を有し、筐体１１の天面１１２において筐体１１の前面１１１と平行に配置される。さらに、閉状態では、Ｌ字の他端側の平板部１２１ａがコンセント１３１Ａ、１３２Ａを含む筐体１１の前面１１１を覆う。そして、開状態では、一端側の平板部１２１ｂが筐体１１の天面１１２と接することにより、他端側の平板部１２１ａが、回転軸１２２の後方となる筐体１１の天面１１２から上方に向かって立ち上がる状態で固定される。
【００４０】
このように、コンセントボックス１は、閉状態においてコンセント１３１Ａ、１３２Ａを塞ぐカバー１２（板状部１２１）を備えるため、閉状態において異物がコンセント１３１Ａ、１３２Ａ内に侵入、付着することを抑制できる。また、コンセントボックス１は、カバー１２が、開状態においてカバー１２に載置された携帯機器Ｍを立て掛けた状態で固定する固定部材（板状部１２１及び回転軸１２２）を有するため、開状態において携帯機器Ｍの良好な載置台となる。また、これにより、什器Ｆの上面Ｆ１におけるスペースを有効活用できる。
【００４１】
したがって、コンセントボックス１は、例えば、飲食物や雑貨などが多数配置される飲食店や宿泊施設用の什器や、上面サイズが限定される小型の什器などにも取り付けが可能であり、幅広い什器にも対応可能である。特に、コンセントボックス１は、スペースを占有するという消極的な理由で露出型のコンセントが敬遠されていた什器に対して、携帯機器Ｍを良好に載置可能という積極的な取付理由を提供することができる。
【００４２】
４．備考
コンセントボックス１では、上記に説明した特徴以外にも、複数の特徴を備えている。これらの特徴はコンセントボックス１に必須のものではなく、コンセントボックス１の機能を追加・向上させるものである。以下に当該特徴について説明する。
（１）平板部１２１ｂ
図４に示すように、コンセントボックス１では、板状部１２１が側面視Ｌ字状である。すなわち、固定部材となる平板部１２１ａと回転軸１２２との間に平板部１２１ｂを有する。よって、平板部１２１ｂの大きさ（及び回転軸保持部１１２ａの形成位置）を変えることにより、平板部１２１ａと回転軸１２２との間隔を調節できる。
【００４３】
このとき、コンセントボックス１では、平板部１２１ａと回転軸１２２との間隔により、カバー１２に載置された携帯機器Ｍの向きを調整できる。したがって、例えば、カバー１２に載置された携帯機器Ｍの表面Ｍ１を携帯機器Ｍの所有者に向けて、携帯機器Ｍの向きを固定することができ、当該所有者は、自らの手で保持することなく、携帯機器Ｍの画像表示面（表面Ｍ１）を見ることができる。この場合、携帯機器Ｍの使用者は、例えば什器Ｆの前方で飲食や休息を行いながら、快適に携帯機器Ｍによる動画や静止画の視聴を行うことができる。つまり、この場合、コンセントボックス１は、開状態において、さらに良好な携帯機器Ｍの載置台となる。
【００４４】
また、コンセントボックス１では、平板部１２１ａと回転軸１２２との間隔を一定以下にすることにより、開状態において、当該間隔よりも大きな底面幅を有する物をカバー１２に安定して載置することができなくなる。よって、開状態において、携帯機器Ｍ以外の物、例えば飲食物の皿や調味料などがコンセントボックス１上に載置されることを抑制できる。このように、想定外の物の載置を抑制することができる場合、コンセントボックス１や什器Ｆの破損、汚損などを防止することができる。なお、平板部１２１ａと回転軸１２２との間隔は、１５ｍｍ以下であることが特に好ましい。
【００４５】
（２）回転軸１２２の天面１１２における突出
図１、図３、図４に示すように、コンセントボックス１では、回転軸１２２が筐体１１の天面１１２において突出する。特に、閉状態においても回転軸１２２が天面１１２において突出している。これにより、閉状態において、コンセントボックス１の天面１１２は平坦とならない。よって、閉状態において、例えば、飲食物や調味料などの物を天面１１２に安定して載置することができず、想定外の物の載置を抑制することができる。
【００４６】
（３）凹部１１２ｂ
図１（ａ）及び図４に示すように、コンセントボックス１では、筐体１１が回転軸１２２の後方となる筐体１１の天面１１２に凹部１１２ｂを有し、開状態において、一端側の平板部１２１ｂが、凹部１１２ｂと面接触する。これにより、カバー１２に携帯機器Ｍが載置された際、カバー１２に対する携帯機器Ｍの荷重の一部を、凹部１１２ｂで受けることができ、カバー１２の耐荷重強度を向上させることができる。
【００４７】
特に、コンセントボックス１では、平板部１２１ａと平板部１２１ｂとの間にある湾曲部１２１ｃが凹部１１２ｂと面接触している。この場合、カバー１２に対する携帯機器Ｍの下方への荷重だけでなく、後方への荷重、特に湾曲部１２１ｃへの荷重も凹部１１２ｂで受けることができる。したがって、カバー１２の耐荷重強度をより向上させることができる。
【００４８】
（４）差込口１３１ａ、１３１ｂの配置
図１（ｂ）に示すように、コンセントボックス１では、コンセント１３１Ａが、一対の差込口１３１ａ、１３１ｂからなるＡＣ用コンセント１３１Ａであり、一対の差込口１３１ａ、１３１ｂが上下方向に並ぶ。また、一対の差込口１３１ａ、１３１ｂのうち、下方側の差込口１３１ｂが、接地側（いわゆるＷ端子）である。
【００４９】
これにより、コンセントボックス１の開状態における信頼性及び安全性をより向上させることができる。具体的には、開状態において、例えば、ＡＣ用コンセント１３１Ａに向かって液体や固体などの異物が飛散した場合、重力による落下や垂れなどの影響により、当該異物は、下方側の差込口１３１ｂに付着する可能性が高い。これに対し、コンセントボックス１では、下方側の差込口１３１ｂが、接地側であるため、下方側の差込口１３１ｂの内部に異物が侵入しても感電や漏電などが発生しにくく、異物付着による信頼性及び安全性への影響を低減、抑制することができる。
【００５０】
（５）平板部１２１ａの前面における表示
コンセントボックス１では、開状態において、他端側の平板部１２１ａの前面側に、載置可能な携帯機器Ｍが表示される。具体的には、例えば、図１（ｂ）に示すように、開状態における平板部１２１ａの前面に、スマートフォンの図とともに、載置可能を意味する文字を印刷するなどにより、載置可能な携帯機器Ｍが表示される。これにより、開状態では、使用者に対し、コンセントボックス１に載置可能な携帯機器Ｍを伝達することができ、想定外の物の載置を抑制することができる。
【００５１】
なお、上記表示はスマートフォンの図及び載置可能の文字の組み合わせに限られず、図面のみ又は文字のみであってもよいし、図面や文字の内容を適宜変更してもよい。文字を表示する場合は、英語を用いることにより、日本語が分からない海外からの旅行者など、より広い範囲の使用者にも使用方法を伝えることができる。また、上記表示の方法は、平板部１２１ａへの印刷に限られず、平板部１２１ａにＬＥＤやディスプレイを配置して、当該ＬＥＤやディスプレイにより表示を行ってもよい。
【００５２】
また、コンセントボックス１では、閉状態において、コンセントボックス１がコンセント１３１Ａ、１３２Ａを備えることが表示される。具体的には、例えば、図１（ａ）に示すように、閉状態における平板部１２１ａの前面に、充電器を意味する文字を印刷するなどにより、コンセント１３１Ａ、１３２Ａを備えることが表示される。これにより、コンセント１３１Ａ、１３２Ａが露出していない閉状態においても、使用者に対し、コンセントボックス１の使用方法を伝達することができる。
【００５３】
（６）板状部１２１の表面状態
図１（ａ）に示すように、コンセントボックス１は、閉状態において、板状部１２１の表面が平坦である。このように、板状部１２１の表面に不要な凹凸を形成しないことで、閉状態における板状部１２１の表面に、飲食物などによる汚れが堆積しにくくなるとともに、付着した汚れを除去しやすい構造とできる。したがって、コンセントボックス１は、商業施設などの清潔さが要求される施設用の什器へも対応可能である。
【００５４】
（７）コンセントブロック１３の突出
図１（ｂ）に示すように、コンセントボックス１では、コンセントブロック１３が、筐体１１の前面１１１から突出している。すなわち、コンセント１３１Ａ、１３２Ａを含む部分（コンセントブロック１３）が、筐体１１の表面（前面１１１）から突出する。これにより、例えば図３に示すように、比較的大型のプラグＭＰをコンセント１３１Ａ、１３２Ａに接続する場合でも、筐体１１の前面１１１によるプラグＭＰの引っ掛かりを抑制でき、プラグＭＰの挿入が邪魔をされない。したがって、プラグＭＰの挿入が不十分であることによる短絡や接続不良、プラグＭＰの変形などの不具合の発生を抑制することができる。
【００５５】
（８）幅Ｗの制限
図１に示すように、筐体１１の左右方向の全長を筐体１１の幅Ｗとするとき、コンセントボックス１では、筐体１１の幅Ｗが１３ｃｍ以下である。このように、筐体１１の幅Ｗを一定以下に制限することにより、携帯機器Ｍのうち、携帯電話やスマートフォンなどの小型携帯機器は良好に載置できるが、タブレットや薄型ノートパソコンなどの大型携帯機器は載置しづらくなる。つまり、コンセントボックス１では、幅Ｗの制限により載置可能な携帯機器Ｍを限定し、想定外の物の載置を抑制することができる。
【００５６】
５．変形例
以上、本実施の形態であるコンセントボックス１について説明したが、本発明の一態様に係るコンセントボックスは上記実施の形態の内容に限定されず、本質的な内容を除いて各種の変更を行ってもよい。そのような変形の例について、下記に説明する。
（１）携帯機器の載置場所
コンセントボックス１では、開状態において、携帯機器Ｍは筐体１１の天面１１２上に載置されたが、これに限られず、例えば筐体１１の前面１１１と天面１１２の構造を入れ替えることにより、筐体１１の前面１１１側に携帯機器Ｍが載置されてもよい。
【００５７】
具体的には、例えば、コンセント１３１Ａ、１３２Ａが、筐体１１の天面１１２に配置され、回転軸１２２が、筐体１１の前面１１１において天面１１２と平行に配置され、閉状態では、平板部１２１ａが天面１１２を覆う構成とする。そして、開状態では、平板部１２１ａが、筐体１１の前面１１１から前方側の斜め上方に突出する状態で固定される構成としてもよい。この場合であっても、開状態においてカバー１２に載置された携帯機器Ｍを立て掛けた状態で固定できる。具体的には、上記構成において、カバー１２に携帯機器Ｍを立て掛けた状態で載置すると、携帯機器Ｍの下端Ｍ３が湾曲部１２１ｃ上で平板部１２１ａと接し、携帯機器Ｍの裏面Ｍ２が筐体１１の前面１１１と接する状態で携帯機器Ｍが静止する。このとき、携帯機器Ｍの左右方向を軸とした回転を、前面１１１及び平板部１２１ａが規制し、携帯機器Ｍの向きが固定される。このように、前面１１１及び平板部１２１ａ（板状部１２１）が、固定部材を構成することにより、筐体１１の前面１１１側において、カバー１２に載置された携帯機器Ｍを立て掛けた状態で固定することができる。
【００５８】
なお、同様にして、携帯機器Ｍを筐体１１の側面側や後面側に載置する構成であってもよい。
（２）携帯機器の固定方法
コンセントボックス１では、開状態においてカバー１２に載置された携帯機器Ｍを立て掛けた状態で固定する固定部材を、板状部１２１（平板部１２１ａ）及び回転軸１２２で構成したが、固定部材はこの構成に限られない。例えば、前述の筐体１１の前面１１１と天面１１２との構造を入れ替えた構成のように、板状部１２１と回転軸以外の部材（カバー１２の部分以外も含む）とが固定部材を構成してもよく、すなわち板状部１２１が、固定部材の一部を構成してもよい。
【００５９】
また、例えば、コンセントボックス１の構成において、板状部１２１と回転軸保持部１１２ａとが固定部材を構成してもよい。また、回転軸１２２や回転軸保持部１１２ａとは別に、天面１１２から上方に突出する部材を配置し、板状部１２１と当該部材とが固定部材を構成してもよい。これらの場合、回転軸１２２は固定部材の一部である必要はなく、例えば、回転軸１２２が、平板部１２１ｂの板厚以下の軸径を有してもよく、また、回転軸１２２が平板部１２１ｂより突出する必要は無い。
【００６０】
また、コンセントボックス１では、携帯機器Ｍを立て掛けた状態で固定する方法として、カバー１２の固定部材（板状部１２１及び回転軸１２２）の当接を用いたが、固定方法はこれに限定されない。例えば板状部１２１に、適切な材料や加工を用いて表面の摩擦係数が高い状態とし、当該板状部１２１表面の摩擦力により携帯機器Ｍを立て掛けた状態で固定してもよい。また、例えば、板状部１２１の携帯機器Ｍを載置する面に、負圧や電磁気力による吸着力を発生させ、携帯機器Ｍを規制してもよい。この場合、固定部材は板状部１２１のみで構成してもよく、回転軸１２２や筐体１１などにより携帯機器Ｍの下端Ｍ３を当接保持する必要は無い。
【００６１】
（３）充電方法
コンセントボックス１による携帯機器Ｍの充電方法は、例えば充電用ケーブルＭＣなどを用いた有線充電に限られない。例えば、カバー１２が、携帯機器Ｍを非接触充電する送電部を有してもよい。これにより、携帯機器Ｍの充電においてケーブル接続の手間を省けるとともに、コンセント１３１Ａ、１３２Ａの空きを増やすことで、携帯機器Ｍの接続可能数を増やすことができる。
【００６２】
（４）扉付差込口
コンセントボックス１では、さらに、コンセント１３１Ａ、１３２Ａの差込口（一対の差込口１３１ａ、１３１ｂなど）を塞ぐ扉を備えていてもよい。これにより、開状態においても携帯機器Ｍが接続されていないコンセント１３１Ａ、１３２Ａへの異物付着を抑制することができるとともに、誤って又は故意に金属製のフォークなどがコンセント１３１Ａ、１３２Ａへ差し込まれることを抑制することができる。なお、この際、当該扉は、公知の方法により、コンセント１３１Ａ、１３２Ａに対応するプラグＭＰが挿入された際は、差込口を開口し、携帯機器Ｍの接続を妨げないようにする。
【００６３】
（５）導通遮断
コンセントボックス１では、閉状態では、コンセント１３１Ａ、１３２Ａへの導通が切断され、開状態では、コンセント１３１Ａ、１３２Ａが導通される構成であってもよい。これにより、コンセントボックス１が使用されない閉状態における待機電力を低減し、コンセントボックス１を設置する施設の電力消費を抑制することができる。
【００６４】
（６）漏電遮断回路
コンセントボックス１では、例えばコンセントブロック１３内などに、さらにコンセント１３１Ａ、１３２Ａに接続された漏電遮断回路を備えていてもよい。これにより、コンセント１３１Ａ、１３２Ａへ異物が付着又は挿入された場合であっても、漏電遮断回路により、漏電を防止することができ、コンセントボックス１の安全性をより高めることができる。
【００６５】
（７）コンセントの種類
コンセントボックス１では、コンセントとして、ＡＣ用コンセント１３１Ａ及びＵＳＢ用コンセント１３２Ａを有したが、これに限られず、コンセントは他の種類のものを含んでいてもよい。例えば、ＬＡＮ端子やモジュラージャック、ＨＤＭＩ（登録商標）端子、ＶＧＡ端子などの通信用コンセントを含んでいてもよい。また、コンセントは複数種類である必要はなく、例えばコンセントボックスが、ＡＣ用コンセント１３１ＡやＵＳＢ用コンセント１３２Ａ、通信用コンセントなどのいずれかのみを有していてもよい。さらに、コンセントの数は１つであっても複数であってもよい。また、ＡＣ用コンセント１３１Ａは、図１（ｂ）、図２、図３に示すような２極コンセントに限られず、接地極を有する３極コンセントであってもよいし、また、海外で用いられるプラグに対応した形状、電気仕様を有してもよい。なお、コンセントが複数存在し、コンセントが少なくともＡＣ用コンセント１３１Ａ及びＵＳＢ用コンセント１３２Ａを含む場合は、スマートフォンなどの携帯機器Ｍに対して必要な充電手段を確保でき、特に好ましい。
【００６６】
（８）その他
コンセントボックス１では、図３に示すように携帯機器Ｍが、充電用ケーブルＭＣのプラグＭＰをＵＳＢ用コンセント１３２Ａに差し込むことによりコンセントボックス１に接続されたが、携帯機器の接続方法はこれに限られない。例えば、充電用ケーブルＭＣのプラグＭＰにＡＣアダプタなどを接続し、ＡＣアダプタをＡＣ用コンセント１３１Ａに差し込むことにより携帯機器Ｍを接続してもよい。また、コンセントボックスがその他の種類のコンセントを有する場合、当該コンセントに対応したプラグを用いてコンセントボックスと携帯機器とが接続される構成であってもよい。
【００６７】
また、コンセントボックス１では、回転軸保持部１１２ａと回転軸１２２とは、回転軸１２２が筐体１１に対して回転可能に連結されたが、この連結方法は特に限定されない。例えば、回転軸１２２の左右両側面に凹部を形成するとともに、回転軸保持部１１２ａの中央側の側面に凸部を形成し、これらをはめ込むことによって回転可能に接続してもよい。また、上記方法に限られず、回転軸保持部１１２ａと回転軸１２２とにおいて、凹凸を逆にしてもよいし、シャフトやベアリングを用いるなど、その他の公知の方法を用いることができる。さらに、例えば、回転軸１２２の前方側や回転軸保持部１１２ａの後方側に上記凸部の逃がし溝を形成するなどにより、開状態において、カバー１２に過大な荷重が加わった場合に、回転軸保持部１１２ａから回転軸１２２が外れるようにし、破損を抑制してもよい。
【００６８】
また、実施の形態において、什器Ｆとして、飲食店や宿泊施設に設置されるテーブルを例示したが、什器Ｆはこれに限られない。例えば、什器Ｆは、オフィスや住宅、その他の商業施設内に設置されるものであってもよいし、例えば、屋外に設置されるものであってもよい。また、例えば、什器Ｆはデスク、机、棚など、上面Ｆ１として、地面と平行な平面を有するものであってもよい。
【００６９】
また、コンセントボックス１は、什器Ｆの上面Ｆ１に木ねじ１６により固定（ねじ止め）されていたが、什器Ｆへの固定方法は、これに限定されず、面ファスナー、突起による嵌合など、公知の方法を用いることができる。また、コンセントボックス１は什器Ｆに固定されず、単に什器Ｆの上面Ｆ１に置かれているだけであってもよい。ただし、コンセントボックス１が内線規定（ＪＥＡＣ８００１−２０１１）などの規格が適用される機器に該当する場合は、実施の形態のように、例えばねじ止めなどにより、什器Ｆの上面Ｆ１に固定する必要がある。
【００７０】
また、コンセントボックス１では、筐体１１は略直方体（略四角錐台）の箱状であったが、筐体の箱形状はこれに限られない。箱状とは、内部に空間を有する形状を意味し、これを満たす形状であれば良く、例えば、立方体や逆四角錐台、多角形柱、多角形錐台、円柱、円錐台などの箱状であってもよい。また、箱状とは、厳密に内部空間を仕切る形状である必要ではなく、適宜開口や切込みなどが形成された形状であってもよい。
【００７１】
また、コンセントボックス１では、外部ケーブルが底面部１１ｃの開口部１１ｃ１を介して接続される構成であったが、これに限られず、例えば後面部１１ｂに開口を形成し、後面側から外部ケーブルが接続される構成であってもよい。なお、後面部１１ｂから外部ケーブルが接続される場合は、什器Ｆに配線用の開口を設ける必要が無く、コンセントボックス１の設置がより容易となる。一方、底面部１１ｃの開口部１１ｃ１から外部ケーブルが接続される構成においては、外部ケーブルが露出しないため、コンセントボックス１の意匠性が向上する。さらに、後面部１１ｂ及び底面部１１ｃの両方に開口を設け、設置する什器Ｆごとに外部ケーブルの接続方法を選択できる構成としてもよい。この場合、後面部１１ｂの開口はノックアウトとし、必要な場合にのみ開口できるようにしてもよい。
【００７２】
さらに、後面部１１ｂから外部ケーブルが接続される場合、後面部１１ｂが什器Ｆの上面Ｆ１に対して鉛直となる形状とすれば、コンセントボックス１を壁際に施工した際に、壁とコンセントボックス１との間にできる隙間を低減できる。これにより、埃などが当該隙間に堆積したり、当該隙間から後面部１１ｂ側の外部ケーブルが露出したりすることを低減でき、メンテナンス性や意匠性を向上させることができる。
【００７３】
また、実施の形態において、カバー１２は充電器の文字や載置可能な携帯機器Ｍが表示される外観であったが、カバー１２の外観はこれに限られない。例えばカバー１２を透明な部材で構成することにより、閉状態において、直接コンセントボックス１がコンセント１３１Ａ、１３２Ａを有することを示してもよい。一方、実施の形態のようにカバー１２を非透明な部材で構成すれば、閉状態において、コンセントボックス１はコンセントとして認識されず、什器Ｆの装飾部材に見せることもできる。さらに、例えば、カバー１２の板状部１２１の外面にロゴや広告を付すことにより、カバー１２の閉状態におけるコンセントボックス１を広告媒体として使用することも可能である。このように、コンセントボックス１に、装飾や広告といった積極的な付加価値を追加することで、スペースを占有するという露出型の短所を長所に変換することもできる。
【００７４】
また、実施の形態では、携帯機器Ｍの例示として、携帯電話やスマートフォンとしたが、携帯機器Ｍはこれに限られず、例えばタブレットＰＣやノートパソコンなど、二次電池を内蔵する機器であればよい。なお、大型の携帯機器を載置する場合は、筐体１１の幅Ｗは適切に変更される。また、実施の形態では、携帯機器Ｍを平板状としたが、携帯機器Ｍの形状はこれに限られず、立て掛けることが可能な形状であればよい。なお、本願において「カバーに載置された携帯機器を立て掛けた状態」とは、携帯機器における最も短い方向（短手方向）を鉛直以外の方向に向けた状態でカバー１２に載置することを意味する。
【符号の説明】
【００７５】
１  コンセントボックス
１１  筐体
１２  カバー
１１１  前面（表面）
１１２  天面（表面）
１２１  板状部（固定部材）
１２２  回転軸（固定部材）
１３１Ａ  ＡＣ用コンセント（コンセント）
１３２Ａ  ＵＳＢ用コンセント（コンセント）
Ｆ  什器
Ｆ１  上面
Ｍ  携帯機器
【図１】
0006544629.tif 000002
【図２】
0006544629.tif 000003
【図３】
0006544629.tif 000004
【図４】
0006544629.tif 000005